(57)【特許請求の範囲】
【請求項１】
プールからプール水を採取し、濾過後プールに返還する循環工程と、プールから採取したプール水の有効塩素濃度を測定し、適宜この有効塩素濃度を調整するプールの殺菌管理において、
濾過前のプール水の有効塩素濃度だけでなく、ｐHを測定する工程と、濾過後のプール水に、ｐH５以上７以下の弱酸性に調整された有効塩素濃度５０〜３００ｐｐｍの亜塩素酸または次亜塩素酸水溶液あるいはその塩水溶液を注入する工程を含み、上記測定値に応じて循環するプール水に対する上記亜塩素酸または次亜塩素酸水溶液あるいはその塩水溶液の注入量を調整し、ｐH６以上６．５以下の弱酸性の領域でプール水を有効塩素濃度０．４〜１ｐｐｍの範囲に調整することを特徴とするプールの管理方法。
【請求項２】
浴槽から浴槽水を採取し、濾過後浴槽に返還する循環工程と、浴槽から採取した浴槽水の有効塩素濃度を測定し、適宜この有効塩素濃度を調整する浴槽の殺菌管理において、
濾過前の浴槽水の有効塩素濃度だけでなく、ｐHを測定する工程と、濾過後の浴槽水にｐH５以上７以下の弱酸性に調整された有効塩素濃度５０〜３００ｐｐｍの亜塩素酸または次亜塩素酸水溶液あるいはその塩水溶液を注入する工程を含み、上記測定値に応じて循環する浴槽水に対する上記亜塩素酸または次亜塩素酸水溶液あるいはその塩水溶液の注入量を調整し、ｐH６以上６．５以下の弱酸性の領域で浴槽水を有効塩素濃度０．２〜０．４ｐｐｍの範囲に調整することを特徴とする浴槽の管理方法。
【請求項３】
プール水または浴槽水の一部をｐH５以上７以下の弱酸性の領域で有効塩素濃度３０〜１００ｐｐｍとし、これをプール水または浴槽水の循環路に循環させる工程を含む請求項１または２記載の管理方法。
【請求項４】
濾過前の循環水の有効塩素濃度およびｐHの測定信号により、自動的に亜塩素酸または次亜塩素酸水溶液あるいはその塩水溶液の循環水への注入量の増減または注入ONOFFを行う請求項１または２記載の管理方法。
【発明の詳細な説明】
【技術分野】
【０００１】
本発明は、公衆衛生上問題となるプールの管理方法または浴槽の管理方法に関する。
【背景技術】
【０００２】
プールの管理は、主として次亜塩素酸ソーダの添加により行われているが、水泳者の身体から供給される各種菌類の消毒、たんぱく質およびアンモニア成分の分解により、次亜塩素酸イオンが消費される。また、アルカリ性のため、十分な殺菌力をもたせるためには高濃度にする必要があり、塩素臭があって、不快であったり、皮膚過敏者、アトピー性皮膚炎者には炎症などのトラブルが起こる。また、十分に攪拌されないで高濃度でプールへの添加が行われる場合が多いので、プール中に有効塩素濃度の濃淡が形成されやすく、上記不都合が起き易い。
また、浴槽では家庭用２４時間風呂が人気を呼んでいたが、レジオネラ菌の影響により衰退している。他方、公衆浴場では温泉人気のために２４時間稼動を必要としているので、種々の殺菌設備および方法が駆使されている。しかしながら、簡易な、そして適当な殺菌方法が見出せないのが現状であり、オゾンガスまたは塩素ガス等の酸化剤を使用する方法に頼っているが、これらの方法は塩素臭により入浴雰囲気を害したり、取り扱いに難点がある。
特に、プール水および浴槽水中のこれらの有効塩素濃度は使用者の数により、急激に変動するので、１日数回程度のバッチ式管理では十分に対応できているといえない現状にある。
【非特許文献１】浄水の技術（技報堂出版２００２年７月１０日発行）
【発明の開示】
【発明が解決しようとする課題】
【０００３】
そこで、本発明の第１の目的は、プール水および浴槽水の有効塩素濃度変化に迅速に対応でき、塩素臭のないかつ皮膚に優しい水質の管理方法を提供することにある。
本発明の第２の目的は、プールおよび浴槽の循環路配管に根付くレジオネラ菌等の殺菌または除菌を適宜容易に行うことができる管理方法を提供することにある。
【課題を解決するための手段】
【０００４】
本発明者らは、鋭意研究の結果、プール水は１日に６から８ターンの循環濾過が行われ、浴槽水では１時間に３から４ターンの循環が行われていることに着目すると、この循環水の濾過前の有効塩素濃度の測定値に基づき、濾過後の循環水に、ｐH５以上７以下の弱酸性領域で有効塩素濃度５０〜３００ｐｐｍの亜塩素酸または次亜塩素酸水溶液あるいはその塩水溶液を注入すると、極めて迅速にプール全体および浴槽全体を調整することができることを見出し、完成したもので、
本発明は、プールからプール水を採取し、濾過後プールに返還する循環工程と、プールから採取したプール水の有効塩素濃度を測定し、適宜この有効塩素濃度を調整するプールの殺菌管理において、
濾過前のプール水の有効塩素濃度だけでなく、ｐHを測定する工程と、濾過後のプール水に、好ましくは塩酸酸性で、ｐH５以上７以下の弱酸性に調整された有効塩素濃度５０〜３００ｐｐｍの亜塩素酸または次亜塩素酸水溶液あるいはその塩水溶液を注入する工程を含み、上記測定値に応じて循環するプール水に対する上記亜塩素酸または次亜塩素酸水溶液あるいはその塩水溶液の注入量を調整し、ｐH５以上７以下の弱酸性の領域でプール水を所定の有効塩素濃度、例えば０．４〜１ｐｐｍの範囲に調整することを特徴とするプールの管理方法にある。
【０００５】
また、本発明は、浴槽から浴槽水を採取し、濾過後浴槽に返還する循環工程と、浴槽から採取した浴槽水の有効塩素濃度を測定し、適宜この有効塩素濃度を調整する浴槽の殺菌管理において、
濾過前の浴槽水の有効塩素濃度だけでなく、ｐHを測定する工程と、濾過後の浴槽水に好ましくは塩酸酸性で、ｐH５以上７以下の弱酸性に調整された有効塩素濃度５０〜３００ｐｐｍの亜塩素酸または次亜塩素酸水溶液あるいはその塩水溶液を注入する工程を含み、上記測定値に応じて循環する浴槽水に対する上記亜塩素酸または次亜塩素酸水溶液あるいはその塩水溶液の注入量を調整し、ｐH５以上７以下の弱酸性の領域で浴槽水を所定の有効塩素濃度、例えば０．２〜０．４ｐｐｍ、１ｐｐｍ以下の範囲に調整することを特徴とする浴槽の管理方法にある。
【０００６】
上記管理方法は、濾過前の循環水の有効塩素濃度およびｐH測定信号により自動的に亜塩素酸または次亜塩素酸水溶液あるいはその塩水溶液の循環水への注入量の増減または注入ONOFFを行うのが好ましく、プール水または浴槽水交換時などにその一部をｐH５以上７以下の弱酸性の領域で有効塩素濃度３０〜１００ｐｐｍとし、これをプール水または浴槽水の循環路に循環させる工程を含むのが好ましい。
【０００７】
なお、本発明で使用する亜塩素酸または次亜塩素酸水溶液は高濃度の水溶液を希釈して調整することができ、必要に応じて塩酸等の酸でｐHを調製すればよい。その塩水溶液としてはカリウム、カルシウム、ナトリウム塩などが上げられるが、食品添加物として許容される亜塩素酸ソーダまたは次亜塩素酸ソーダ水溶液を使用するのが好ましい。
【発明の効果】
【０００８】
本発明によれば、濾過された循環水に例えば、塩酸酸性で、ｐH５以上７以下とし、５０〜３００ｐｐｍの有効塩素濃度を有する亜塩素酸または次亜塩素酸水溶液あるいはその塩水溶液を注入してプールまたは浴槽に返還するので、従来のように高濃度の次亜塩素酸ソーダ溶液を使用せずとも、弱酸性の領域であるから、０．４〜１ｐｐｍまたは０．２〜０．４ｐｐｍの有効酸素濃度で、高い殺菌能力を維持することができる。したがって、アトピー皮膚炎等のプール使用者および入浴者の皮膚環境にとって好ましい状況が形成できる。
【０００９】
また、本発明方法によれば、濾過された循環水に弱酸性の亜塩素酸または次亜塩素酸水溶液あるいはその塩水溶液を注入して混合希釈するので、塩素臭がなく、塩素注入により問題となるハロメタンの発生もほとんどない。しかも返還されるプール水は塩素濃度の濃淡のない、清浄な水状態を確保できるので、良好な水質環境を形成することができる。
【００１０】
さらに、本発明の管理方法では、適宜循環水の一部を有効利用し、ｐH５以上７以下の弱酸性の範囲で有効塩素濃度３０〜１００ｐｐｍの循環水を形成することは容易であるので、これを使用して循環路配管に根付きやすいレジオネラ菌等の殺菌または除菌を必要に応じて行うことができる。
【発明を実施するための最良の形態】
【００１１】
〔実施例１〕
図１はプールの管理システムを示す概要図で、プール１は毎日全水を８循環ターンする循環路２が形成されており、その経路には濾過装置３が配置され、循環水を一旦濾過後プール１に返還されるようになっている。この濾過後の循環水には従来、次亜塩素酸ソーダ濃縮液を混合して所定の有効塩素濃度０．４〜１ｐｐｍに調整するように管理されている。本発明では、上記循環路２の濾過装置３の前方では循環水のｐHおよび有効塩素濃度を測定する測定装置５が設けられ、濾過装置３の後方には薬注口４を設け、ここに５０〜３００ｐｐｍ、好ましくは１００〜２００ｐｐｍの塩酸酸性でｐH５以上７以下の弱酸性亜塩素酸ソーダまたは次亜塩素酸ソーダ水溶液が注入されるようになっている。循環水のｐHまたは有効塩素濃度が所定の範囲を外れると、上記測定装置５で検出された測定信号により、弱酸性亜塩素酸または次亜塩素酸あるいはその塩水溶液の注入を停止したり、流量切替装置６を作動させ、注入流量を調整できるようになっている。
【００１２】
弱酸性亜塩素酸ソーダまたは次亜塩素酸ソーダ水溶液は上記ミキサー１０により調製できる。例えば、次亜塩素酸ソーダ水溶液の場合、このミキサー１０で薬液タンク１１から送られる次亜塩素酸ソーダ濃厚液と薬液タンク１２から送られる塩酸とを一定比率で混合するとともに給水シスターン１３から圧送される水道水でこの混合液を希釈し、ｐH５以上７以下の弱酸性領域で、所定の有効塩素濃度を含有する次亜塩素酸塩水溶液を調製するようになっている。なお、１4は警報器であり、ミキサーの運転状況を監視している。
【００１３】
上記管理システムでは、通常１日６ないし８循環ターンでプール水を循環濾過しているが、このプール水をｐH６〜６．５の範囲で有効塩素濃度０．４〜１ｐｐｍの範囲に調整することができる。
【００１４】
図面では、上記ミキサー１０で調整される亜塩素酸または次亜塩素酸水溶液あるいはその塩水溶液は、上記のように薬注口４に供給されるだけでなく、分岐路７を介してプールサイドまたは床散水用ホース８に希釈装置９を介して連通するようになっている。ここでは亜塩素酸または次亜塩素酸水溶液あるいはその塩水溶液をそのまま、または希釈して３０〜１００ｐｐｍの有効塩素濃度が得られるようになっている。
【００１５】
〔実施例２〕
図２は複数の浴槽を備える公衆浴場の管理システムを示す概要図で、男子浴槽２０−１から２０−５の各種浴槽水を循環路２２−１から２２−５で循環させるとともに、女子浴槽２１−１から２１−５の各浴槽水も各循環路２２−１から２２−５を介して循環させ、各循環路に設けた濾過装置２３−１から２３−５で循環水を濾過するようになっている。
【００１６】
各循環路の濾過装置２３−１から２３−５の後方には各薬注口２４−１から２４−５を備える各注入路２５−１から２５−５で５０〜３００ｐｐｍ、好ましくは１００ｐｐｍの塩酸酸性でｐH５以上７以下の弱酸性亜塩素酸ソーダまたは次亜塩素酸ソーダ水溶液が注入されるようになっている。循環水のｐHまたは有効塩素濃度が所定の範囲を外れると、図示しない測定装置で検出された測定信号により、弱酸性亜塩素酸または次亜塩素酸水溶液あるいはその塩水溶液の注入を間欠的に増加したり、注入流量を調整できるにしてもよい。
【００１７】
上記弱酸性亜塩素酸ソーダまたは次亜塩素酸ソーダ水溶液はミキサー２６により調製できる。このミキサー２６は例えば、薬液タンク２６−１から送られる次亜塩素酸ソーダ濃厚液と薬液タンク２６−２から送られる塩酸とを一定比率で混合するとともに給水シスターン２７から圧送される水道水でこの混合液を希釈し、ｐH５以上７以下の弱酸性領域で、所定の有効塩素濃度を含有する亜塩素酸または次亜塩素酸水溶液あるいはその塩水溶液を調製し、一旦亜塩素酸または次亜塩素酸水溶液あるいはその塩水溶液タンク２８に貯め、これを上記薬注口に供給するようになっている。
【００１８】
また、図面では、上記ミキサー２６で調整される亜塩素酸または次亜塩素酸水溶液あるいはその塩水溶液は、上記のように薬注口２４−１から２４−５に供給されるだけでなく、分岐路２９を介して床散水用ホース３０に希釈装置３１を介して連通するようになっている。ここでは亜塩素酸または次亜塩素酸水溶液あるいはその塩水溶液をそのまま、または希釈して３０〜１００ｐｐｍの有効塩素濃度が得られるようになっている。
【００１９】
他方、３２は警報器であり、ミキサーの運転状況を監視している。そして、制御盤３３で循環水のｐHまたは有効塩素濃度が所定の範囲を外れると、検出された測定信号により、間欠的に必要な注入ポンプ３４−１から３４−５を作動させて、弱酸性亜塩素酸または次亜塩素酸水溶液あるいはその塩水溶液を薬注口２４−１から２４−５に注入することができるようになっている。
【００２０】
上記の注入管理システムでは、通常１時間に１回の循環ターンで浴槽水を循環濾過しているが、この循環水をｐH６〜６．５の範囲で有効塩素濃度０．２〜０．４ｐｐｍの範囲に調整することができる。
【００２１】
上記のシステムにおいては、規定の濃度に希釈混合して注入されるので、次亜塩素酸ソーダをプールに直接投入する場合に比して臭いがない。
また、亜塩素酸、次亜塩素酸またはそのソーダ塩を一定濃度に希釈混合した後、さらに適正な酸性の有効塩素濃度のｐH調整するので、従来法のようにプール水をアルカリ性にすることがない。したがって、皮膚過敏症、アトピー性皮膚炎の人でもトラブルのないプール水の維持管理が容易となる。
【００２２】
さらに、従来の塩素注入法での危険性もなく、塩素濃度の濃淡、水温でのアルカリ側への移行などの問題もない。また、トリハロメタンの発生量も少なくなるので、オゾン殺菌の併用を行うことなく、プール水の透明度を確保することができる。
【産業上の利用可能性】
【００２３】
以上、本発明によれば、プール水、浴場水の除菌消臭が酸性下で常時、迅速に行えるので、皮膚に好都合で、公衆衛生上好ましい水再生管理が可能となる。
【図面の簡単な説明】
【００２４】
【図１】プールの管理システムを示す概略図である。。
【図２】スーパ銭湯の管理システムを示す概要図である。
【符号の説明】
【００２５】
１  プール
３  循環濾過装置
４  薬注口
１０  ミキサー
１１、１２  薬液タンク
１３  給水シスターン
【図１】
0004729263.tif 000002
【図２】
0004729263.tif 000003